(57)【特許請求の範囲】
【請求項１】
第２ティア送信機において、利用可能な共有スペクトルリソースの指示を受信することと、ここにおいて、前記利用可能な共有スペクトルリソースが１つまたは複数の共有チャネルを含み、前記１つまたは複数の共有チャネルは、マルチティアシステム内の前記第２ティア送信機を含む複数のティアによって共有される、
前記第２ティア送信機において、送信のためのデータを決定することと、
前記第２ティア送信機によって、前記１つまたは複数の共有チャネルに関連するクリアチャネルアセスメント（ＣＣＡ）期間中にチャネル予約信号を第３ティア送信機に送信することと、ここにおいて、前記ＣＣＡ期間は、前記第３ティア送信機におけるＣＣＡ期間であり、前記チャネル予約信号は、前記第３ティア送信機のタイミングを前記第２ティア送信機に同期させるための信号である、
前記第２ティア送信機によって、前記利用可能な共有スペクトルリソース上で送信のための前記データを送信することと
を備える、ワイヤレス通信の方法。
【請求項２】
送信のための前記データを前記送信することが、前記１つまたは複数の共有チャネルの少なくとも一部分上で送信することを含み、ここにおいて、前記１つまたは複数の共有チャネルが少なくとも１つの無認可チャネルを含む、請求項１に記載の方法。
【請求項３】
前記第２ティア送信機によって、クリアチャネルを検出することなしに前記１つまたは複数の共有チャネルにアクセスすること
をさらに含む、請求項１に記載の方法。
【請求項４】
第１スペクトルティアによって使用されないとき、前記第２ティア送信機が、前記利用可能な共有スペクトルリソースにアクセスすることを認可される、請求項１に記載の方法。
【請求項５】
前記指示が、第１スペクトルティアから前記第２ティア送信機において受信される、請求項１に記載の方法。
【請求項６】
第３ティア送信機において、利用可能な共有スペクトルリソースの指示を受信することと、ここにおいて、前記利用可能な共有スペクトルリソースが１つまたは複数の共有チャネルを含む、
前記第３ティア送信機によって、前記利用可能な共有スペクトルリソースの複数のチャネルを少なくとも１つの第２ティア送信機の存在について監視することと、
前記第３ティア送信機によって、前記１つまたは複数の共有チャネル上でクリアチャネルアセスメント（ＣＣＡ）を実施することと、
前記第３ティア送信機によって、前記ＣＣＡをクリアとして検出したことに応答して前記１つまたは複数の共有チャネル上でデータを送信することと
を備える、請求項１に記載の方法。
【請求項７】
前記第３ティア送信機において、前記少なくとも１つの第２ティア送信機を検出したことに応答して、前記少なくとも１つの第２ティア送信機とタイミングを同期させることをさらに含む、請求項６に記載の方法。
【請求項８】
前記複数のチャネルのすべてよりも少ないチャネル上での前記少なくとも１つの第２ティア送信機の検出に応答して、
前記少なくとも１つの第２ティア送信機の存在がその上で検出されない前記複数のチャネルのうちのチャネルを選択することをさらに含み、ここにおいて、ＣＣＡを前記実施すること、およびデータを前記送信することが、前記選択されたチャネル上で行われる、請求項６に記載の方法。
【請求項９】
前記監視することが、前記第３ティア送信機によって周期的に実施される、請求項６に記載の方法。
【請求項１０】
前記指示が、第１スペクトルティアから前記第３ティア送信機において受信される、請求項６に記載の方法。
【請求項１１】
第２ティア送信機において、利用可能な共有スペクトルリソースの指示を受信するための手段と、ここにおいて、前記利用可能な共有スペクトルリソースが１つまたは複数の共有チャネルを含み、前記１つまたは複数の共有チャネルは、マルチティアシステム内の前記第２ティア送信機を含む複数のティアによって共有される、
前記第２ティア送信機において、送信のためのデータを決定するための手段と、
前記第２ティア送信機によって、前記１つまたは複数の共有チャネルに関連するクリアチャネルアセスメント（ＣＣＡ）期間中にチャネル予約信号を第３ティア送信機に送信するための手段と、ここにおいて、前記ＣＣＡ期間は、前記第３ティア送信機におけるＣＣＡ期間であり、前記チャネル予約信号は、前記第３ティア送信機のタイミングを前記第２ティア送信機に同期させるための信号である、
前記第２ティア送信機によって、前記利用可能な共有スペクトルリソース上で送信のための前記データを送信するための手段と
を備える、ワイヤレス通信のために構成された装置。
【請求項１２】
送信のための前記データを送信するための前記手段が、前記１つまたは複数の共有チャネルの少なくとも一部分上で送信するための手段を含み、ここにおいて、前記１つまたは複数の共有チャネルが少なくとも１つの無認可チャネルを含む、請求項１１に記載の装置。
【請求項１３】
前記第２ティア送信機によって、クリアチャネルを検出することなしに前記１つまたは複数の共有チャネルにアクセスするための手段
をさらに含む、請求項１１に記載の装置。
【請求項１４】
第１スペクトルティアによって使用されないとき、前記第２ティア送信機が、前記利用可能な共有スペクトルリソースにアクセスすることを認可される、請求項１１に記載の装置。
【請求項１５】
前記指示が、第１スペクトルティアから前記第２ティア送信機において受信される、請求項１１に記載の装置。
【発明の詳細な説明】
【技術分野】
【０００１】
関連出願の相互参照
[0001]本出願は、その全体が参照により本明細書に明確に組み込まれる、２０１４年６月５日に出願された「SHARED SPECTRUM ACCESS」と題する米国仮特許出願第６２／００８，２０９号、および２０１５年４月３０日に出願された「SHARED SPECTRUM ACCESS」と題する米国実用特許出願第１４／７００，４２３号の利益を主張する。
【０００２】
[0002]本開示の態様は、一般にワイヤレス通信システムに関し、より詳細には、ユーザの複数のティア（multiple tiers of users）の間の共有スペクトルアクセスに関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。通常、多元接続ネットワークである、そのようなネットワークは、利用可能なネットワークリソースを共有することによって複数のユーザのための通信をサポートする。そのようなネットワークの一例はユニバーサル地上無線アクセスネットワーク（ＵＴＲＡＮ：Universal Terrestrial Radio Access Network）である。ＵＴＲＡＮは、第３世代パートナーシッププロジェクト（３ＧＰＰ（登録商標）：3rd Generation Partnership Project）によってサポートされる第３世代（３Ｇ）モバイルフォン技術である、ユニバーサル・モバイル・テレコミュニケーションズシステム（ＵＭＴＳ：Universal Mobile Telecommunications System）の一部として定義された無線アクセスネットワーク（ＲＡＮ）である。多元接続ネットワークフォーマットの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ）のための通信をサポートすることができるいくつかの基地局またはノードＢを含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]基地局は、ＵＥにダウンリンク上でデータおよび制御情報を送信し得、および／またはＵＥからアップリンク上でデータおよび制御情報を受信し得る。ダウンリンク上では、基地局からの送信は、ネイバー基地局（neighbor base stations）からの送信、または他のワイヤレス無線周波数（ＲＦ）送信機からの送信による干渉に遭遇することがある。アップリンク上では、ＵＥからの送信は、ネイバー基地局と通信する他のＵＥのアップリンク送信からの干渉、または他のワイヤレスＲＦ送信機からの干渉に遭遇することがある。この干渉は、ダウンリンクとアップリンクの両方で性能を劣化させることがある。
【０００６】
[0006]モバイルブロードバンドアクセスに対する需要が増加し続けるにつれて、より多くのＵＥが長距離ワイヤレス通信ネットワークにアクセスし、より多くの短距離ワイヤレスシステムがコミュニティにおいて展開されるともに、干渉および輻輳ネットワークの可能性が増大する。モバイルブロードバンドアクセスに対する増大する需要を満たすためだけでなく、モバイル通信のユーザエクスペリエンス（user experience）を進化および向上させるためにもＵＭＴＳ技術を進化させる研究および開発が続けられている。
【発明の概要】
【０００７】
[0007]本開示の一態様では、ワイヤレス通信の方法は、第２ティア送信機（a second tier transmitter）において、利用可能な共有スペクトルリソースの指示を受信することと、ここにおいて、利用可能な共有スペクトルリソースが１つまたは複数の共有チャネルを含む、第２ティア送信機において、送信のためのデータを決定することと、第２ティア送信機によって、１つまたは複数の共有チャネルに関連するクリアチャネルアセスメント（ＣＣＡ：clear channel assessment）期間中にチャネル予約信号（a channel reserving signal）を送信することと、第２ティア送信機によって、利用可能な共有スペクトルリソース上で送信のためのデータを送信することとを含む。
【０００８】
[0008]本開示の追加の態様では、ワイヤレス通信の方法は、第３ティア送信機において、利用可能な共有スペクトルリソースの指示を受信することと、ここにおいて、利用可能な共有スペクトルリソースが１つまたは複数の共有チャネルを含む、第３ティア送信機によって、利用可能な共有スペクトルリソースの複数のチャネルを少なくとも１つの第２ティア送信機の存在について監視することと、第３ティア送信機によって、１つまたは複数の共有チャネル上でＣＣＡを実施することと、第３ティア送信機によって、ＣＣＡをクリアとして検出したことに応答して１つまたは複数の共有チャネル上でデータを送信することとを含む。
【０００９】
[0009]本開示の追加の態様では、ワイヤレス通信のために構成された装置は、第２ティア送信機において、利用可能な共有スペクトルリソースの指示を受信するための手段と、ここにおいて、利用可能な共有スペクトルリソースが１つまたは複数の共有チャネルを含む、第２ティア送信機において、送信のためのデータを決定することと、第２ティア送信機によって、１つまたは複数の共有チャネルに関連するＣＣＡ期間中にチャネル予約信号を送信するための手段と、第２ティア送信機によって、利用可能な共有スペクトルリソース上で送信のためのデータを送信するための手段とを含む。
【００１０】
[0010]本開示の追加の態様では、ワイヤレス通信のために構成された装置は、第３ティア送信機において、利用可能な共有スペクトルリソースの指示を受信するための手段と、ここにおいて、利用可能な共有スペクトルリソースが１つまたは複数の共有チャネルを含む、第３ティア送信機によって、利用可能な共有スペクトルリソースの複数のチャネルを少なくとも１つの第２ティア送信機の存在について監視するための手段と、第３ティア送信機によって、１つまたは複数の共有チャネル上でＣＣＡを実施するための手段と、第３ティア送信機によって、ＣＣＡをクリアとして検出したことに応答して１つまたは複数の共有チャネル上でデータを送信するための手段とを含む。
【００１１】
[0011]本開示の追加の態様では、プログラムコードを記録したコンピュータ可読媒体。このプログラムコードは、第２ティア送信機において、利用可能な共有スペクトルリソースの指示を受信するためのコードと、ここにおいて、利用可能な共有スペクトルリソースが１つまたは複数の共有チャネルを含む、第２ティア送信機において、送信のためのデータを決定するためのコードと、第２ティア送信機によって、１つまたは複数の共有チャネルに関連するＣＣＡ期間中にチャネル予約信号を送信するためのコードと、第２ティア送信機によって、利用可能な共有スペクトルリソース上で送信のためのデータを送信するためのコードとを含む。
【００１２】
[0012]本開示の追加の態様では、プログラムコードを記録したコンピュータ可読媒体。このプログラムコードは、第３ティア送信機において、利用可能な共有スペクトルリソースの指示を受信するためのコードと、ここにおいて、利用可能な共有スペクトルリソースが１つまたは複数の共有チャネルを含む、第３ティア送信機によって、利用可能な共有スペクトルリソースの複数のチャネルを少なくとも１つの第２ティア送信機の存在について監視するためのコードと、第３ティア送信機によって、１つまたは複数の共有チャネル上でＣＣＡを実施するためのコードと、第３ティア送信機によって、ＣＣＡをクリアとして検出したことに応答して１つまたは複数の共有チャネル上でデータを送信するためのコードとを含む。
【００１３】
[0013]本開示の追加の態様では、装置は、少なくとも１つのプロセッサと、プロセッサに結合されたメモリとを含む。プロセッサは、第２ティア送信機において、利用可能な共有スペクトルリソースの指示を受信することと、ここにおいて、利用可能な共有スペクトルリソースが１つまたは複数の共有チャネルを含む、第２ティア送信機において、送信のためのデータを決定することと、第２ティア送信機によって、１つまたは複数の共有チャネルに関連するＣＣＡ期間中にチャネル予約信号を送信することと、第２ティア送信機によって、利用可能な共有スペクトルリソース上で送信のためのデータを送信することとを行うように構成される。
【００１４】
[0014]本開示の追加の態様では、装置は、少なくとも１つのプロセッサと、プロセッサに結合されたメモリとを含む。プロセッサは、第３ティア送信機において、利用可能な共有スペクトルリソースの指示を受信することと、ここにおいて、利用可能な共有スペクトルリソースが１つまたは複数の共有チャネルを含む、第３ティア送信機によって、利用可能な共有スペクトルリソースの複数のチャネルを少なくとも１つの第２ティア送信機の存在について監視することと、第３ティア送信機によって、１つまたは複数の共有チャネル上でＣＣＡを実施することと、第３ティア送信機によって、ＣＣＡをクリアとして検出したことに応答して１つまたは複数の共有チャネル上でデータを送信することとを行うように構成される。
【図面の簡単な説明】
【００１５】
【図１】[0015]ワイヤレス通信システムの詳細を示すブロック図。
【図２】[0016]複数のセルを有するワイヤレス通信システムの詳細を示すブロック図。
【図３】[0017]１つの１次システムと１つの２次システムとを含む異なるワイヤレス通信システムに結合された権限を付与された共有アクセス（ＡＳＡ：Authorized Shared Access）コントローラの態様を示すブロック図。
【図４】[0018]１つの１次システムと複数の２次システムとを含む異なるワイヤレス通信システムに結合されたＡＳＡコントローラの態様を示すブロック図。
【図５】[0019]ＡＳＡをサポートするための２次システム内の異なるワイヤレス通信システムおよび要素に結合されたＡＳＡコントローラの態様を示すブロック図。
【図６】[0020]本開示の態様による、マルチティアシステム（a multi-tiered system）を示すブロック図。
【図７】[0021]本開示の一態様に従って構成された共有アクセススペクトル（ＳＡＳ：Shared Access Spectrum）展開を示すブロック図。
【図８】[0022]本開示の一態様を実装するために実行される例示的なブロックを示す機能ブロック図。
【図９】[0023]本開示の一態様を実装するために実行される例示的なブロックを示す機能ブロック図。
【図１０】[0024]本開示の一態様に従って構成されたＳＡＳ展開を示すブロック図。
【図１１】[0025]本開示の一態様に従って構成されたＳＡＳ展開を示すタイムライン。
【詳細な説明】
【００１６】
[0026]添付の図面に関して以下に示す詳細な説明は、様々な可能な構成を説明するものであり、本開示の範囲を限定するものではない。そうではなく、詳細な説明は、本発明の主題の完全な理解を与えるための具体的な詳細を含む。これらの具体的な詳細は、あらゆる場合において必要とされるとは限らないことと、いくつかの事例では、よく知られている構造および構成要素は提示を明快にするためにブロック図の形式で示されることとが当業者には明らかであろう。
【００１７】
[0027]本開示は、一般に、ワイヤレス通信ネットワークとも呼ばれる、２つまたはそれ以上のワイヤレス通信システム間での権限を付与された共有アクセス（authorized shared access）を与えることまたはそのアクセスに関与することに関する。様々な実施形態では、本技法および装置は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク、ＬＴＥ（登録商標）ネットワーク、ＧＳＭ（登録商標）ネットワーク、ならびに他の通信ネットワークなど、ワイヤレス通信ネットワークのために使用され得る。本明細書で説明する「ネットワーク」および「システム」という用語は互換的に使用され得る。
【００１８】
[0028]ＣＤＭＡネットワークは、ユニバーサル地上無線アクセス（ＵＴＲＡ）、ｃｄｍａ２０００などの無線技術を実装し得る。ＵＴＲＡは、広帯域ＣＤＭＡ（Ｗ−ＣＤＭＡ（登録商標））と低チップレート（ＬＣＲ）とを含む。ｃｄｍａ２０００は、ＩＳ−２０００、ＩＳ−９５、およびＩＳ−８５６規格をカバーする。
【００１９】
[0029]ＴＤＭＡネットワークは、モバイル通信用グローバルシステム（ＧＳＭ（登録商標）：Global System for Mobile Communications）などの無線技術を実装し得る。３ＧＰＰは、ＧＥＲＡＮとしても示されるＧＳＭ  ＥＤＧＥ（ＧＳＭ進化型高速データレート（enhanced data rates for GSM evolution））無線アクセスネットワーク（ＲＡＮ）のための規格を定義する。ＧＥＲＡＮは、基地局（たとえば、ＡｔｅｒおよびＡｂｉｓインターフェース）と基地局コントローラ（Ａインターフェースなど）とを結合するネットワークとともにＧＳＭ／ＥＤＧＥの無線構成要素である。無線アクセスネットワークはＧＳＭネットワークの構成要素を表し、それを通して、通話およびパケットデータが公衆交換電話網（ＰＳＴＮ）およびインターネットからユーザ端末またはユーザ機器（ＵＥ）としても知られる加入者ハンドセットにルーティングされ、また加入者ハンドセットからＰＳＴＮおよびインターネットにルーティングされる。モバイルフォン事業者のネットワークは、１つまたは複数のＧＥＲＡＮを備え得、それは、ＵＭＴＳ／ＧＳＭネットワークの場合、ＵＴＲＡＮに結合され得る。事業者ネットワークはまた、１つまたは複数のＬＴＥネットワーク、および／または１つまたは複数の他のネットワークを含み得る。様々な異なるネットワークタイプは、異なる無線アクセス技術（ＲＡＴ）と無線アクセスネットワーク（ＲＡＮ）とを使用し得る。
【００２０】
[0030]ＯＦＤＭＡネットワークは、発展型ＵＴＲＡ（Ｅ−ＵＴＲＡ）、ＩＥＥＥ８０２．１１、ＩＥＥＥ８０２．１６、ＩＥＥＥ８０２．２０、ｆｌａｓｈ−ＯＦＤＭなどの無線技術を実装し得る。ＵＴＲＡ、Ｅ−ＵＴＲＡ、およびＧＳＭは、ユニバーサル・モバイル・テレコミュニケーションシステム（ＵＭＴＳ）の一部である。特に、ロングタームエボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは、「第３世代パートナーシッププロジェクト」（３ＧＰＰ）と称する団体から提供されている文書に記載されており、ｃｄｍａ２０００は、「第３世代パートナーシッププロジェクト２」（３ＧＰＰ２：3rd Generation Partnership Project 2）と称する団体からの文書に記載されている。これらの様々な無線技術および規格は知られているかまたは開発されている。たとえば、第３世代パートナーシッププロジェクト（３ＧＰＰ）は、グローバルに適用可能な第３世代（３Ｇ）モバイルフォン仕様を定義することを目的とする電気通信協会のグループ間のコラボレーションである。３ＧＰＰロングタームエボリューション（ＬＴＥ）は、ユニバーサル・モバイル・テレコミュニケーションズシステム（ＵＭＴＳ）モバイルフォン規格を改善することを目的とした３ＧＰＰプロジェクトである。３ＧＰＰは、次世代のモバイルネットワーク、モバイルシステム、およびモバイルデバイスのための仕様を定義し得る。明快のために、本装置および技法のいくつかの態様は、以下ではＬＴＥ実装形態に関してまたはＬＴＥ中心の方法で説明されることがあり、以下の説明の部分ではＬＴＥ用語が例示的な例として使用されることがあるが、その説明は、ＬＴＥ適用例に限定されるものではない。実際、本開示は、異なる無線アクセス技術または無線エアインターフェースを使用した、ネットワーク間のワイヤレススペクトルへの共有アクセスに関係する。
【００２１】
[0031]また、キャリアグレード（carrier-grade）ＷｉＦｉ（登録商標）に適合し得る、無認可スペクトル（unlicensed spectrum）中に含まれるＬＴＥ／ＬＴＥ−Ａに基づくニューキャリアタイプが提案されており、それにより、無認可スペクトルを用いるＬＴＥ／ＬＴＥ−ＡがＷｉＦｉの代替になる。ＬＴＥ／ＬＴＥ−Ａは、無認可スペクトル中で動作するとき、ＬＴＥ概念を活用し得、無認可スペクトル中での効率的な動作を提供することと、規制要件を満たすこととのために、ネットワークまたはネットワークデバイスの物理レイヤ（ＰＨＹ）およびメディアアクセス制御（ＭＡＣ）態様にいくつかの変更を導入し得る。使用される無認可スペクトルは、たとえば、数百メガヘルツ（ＭＨｚ）程度から数十ギガヘルツ（ＧＨｚ）程度までにわたり得る。動作中、そのようなＬＴＥ／ＬＴＥ−Ａネットワークは、ローディングと利用可能性とに応じて認可スペクトルまたは無認可スペクトルの任意の組合せで動作し得る。したがって、本明細書で説明するシステム、装置および方法は他の通信システムおよび適用例に適用され得ることが当業者には明らかであり得る。
【００２２】
[0032]システム設計は、ビームフォーミングおよび他の機能を容易にするためにダウンリンクおよびアップリンクのための様々な時間周波数基準信号をサポートし得る。基準信号は、知られているデータに基づいて生成される信号であり、パイロット、プリアンブル、トレーニング信号、サウンディング信号（sounding signal）などと呼ばれることもある。基準信号は、チャネル推定、コヒーレント復調、チャネル品質測定、信号強度測定など、様々な目的のために受信機によって使用され得る。複数のアンテナを使用するＭＩＭＯシステムは、概して、アンテナ間での基準信号の送信の協調を提供するが、ＬＴＥシステムは、概して、複数の基地局またはｅＮＢからの基準信号の送信の協調を提供しない。
【００２３】
[0033]いくつかの実装形態では、システムは時分割複信（ＴＤＤ）を利用し得る。ＴＤＤでは、ダウンリンクとアップリンクとは同じ周波数スペクトルまたはチャネルを共有し、ダウンリンク送信とアップリンク送信とは同じ周波数スペクトル上で送られる。したがって、ダウンリンクチャネル応答はアップリンクチャネル応答と相関し得る。相反性（reciprocity）により、アップリンクを介して送られた送信に基づいてダウンリンクチャネルを推定することが可能になり得る。これらのアップリンク送信は、（復調後に基準シンボルとして使用され得る）アップリンク制御チャネルまたは基準信号であり得る。アップリンク送信は、複数のアンテナを介した空間選択性チャネル（space-selective channel）の推定を可能にし得る。
【００２４】
[0034]ＬＴＥ実装形態では、ダウンリンクのために、すなわち、基地局、アクセスポイントまたはｅノードＢ（ｅＮＢ）からユーザ端末またはＵＥまで、直交周波数分割多重（ＯＦＤＭ）が使用される。ＯＦＤＭの使用は、スペクトルフレキシビリティについてのＬＴＥ要件を満たし、高いピークレートで極めて広いキャリアのためのコスト効率の高いソリューションを可能にし、定着した技術である。たとえば、ＯＦＤＭは、ＩＥＥＥ８０２．１１ａ／ｇ、８０２．１６、欧州通信規格協会（ＥＴＳＩ：European Telecommunications Standards Institute）によって規格化された高性能無線ＬＡＮ−２（ＨＩＰＥＲＬＡＮ−２（High Performance Radio LAN-2）、ここにおいてＬＡＮはローカルエリアネットワークを表す）、ＥＴＳＩの合同技術委員会によって公開されたデジタル・ビデオ・ブロードキャスティング（ＤＶＢ：Digital Video Broadcasting）などの規格、および他の規格において使用される。
【００２５】
[0035]時間周波数物理リソースブロック（ここではリソースブロック、または簡潔のために「ＲＢ」としても示される）は、ＯＦＤＭシステムにおいて、トランスポートデータに割り当てられた間隔（intervals）またはトランスポートキャリア（たとえば、サブキャリア）のグループとして定義され得る。ＲＢは、時間および周波数期間にわたって定義される。リソースブロックは、スロットにおける時間および周波数のインデックスによって定義され得る時間周波数リソース要素（ここではリソース要素、または簡潔のために「ＲＥ」としても示される）から構成される。ＬＴＥ  ＲＢおよびＲＥのさらなる詳細は、たとえば、３ＧＰＰ  ＴＳ３６．２１１などの３ＧＰＰ仕様に記載されている。
【００２６】
[0036]ＵＭＴＳ  ＬＴＥは、２０ＭＨｚから１．４ＭＨＺまでのスケーラブルなキャリア帯域幅をサポートする。ＬＴＥでは、ＲＢは、サブキャリア帯域幅が１５ｋＨｚであるときは１２個のサブキャリアとして定義され、またはサブキャリア帯域幅が７．５ｋＨｚであるときは２４個のサブキャリアとして定義される。例示的な実装形態では、時間領域において、１０ｍｓ長であり、それぞれ１ミリ秒（ｍｓ）の１０個のサブフレームからなる、定義された無線フレームがある。あらゆるサブフレームは２つのスロットからなり、各スロットが０．５ｍｓである。この場合、周波数領域におけるサブキャリア間隔は１５ｋＨｚである。（スロットごとに）これらのサブキャリアのうち１２個を合わせると、ＲＢが構成され、したがって、この実装形態では、１つのリソースブロックは１８０ｋＨｚである。６つのリソースブロックは１．４ＭＨｚのキャリアに適合し（fit in）、１００個のリソースブロックは２０ＭＨｚのキャリアに適合する。
【００２７】
[0037]本開示の様々な他の態様および特徴について以下でさらに説明する。本明細書の教示は多種多様な形態で実施され得、本明細書で開示する特定の構造、機能、またはその両方は代表的なものにすぎず、限定するものではないことは明らかであろう。本明細書の教示に基づいて、本明細書で開示する態様は他の態様から独立して実装され得ること、およびこれらの態様のうちの２つまたはそれ以上は様々な方法で組み合わせられ得ることを、当業者は諒解されたい。たとえば、本明細書に記載する態様をいくつ使用しても、装置は実装され得、または方法は実施され得る。さらに、本明細書に記載する態様のうちの１つまたは複数に加えて、あるいはそれら以外の他の構造、機能、または構造および機能を使用して、そのような装置が実装され得るか、またはそのような方法が実施され得る。たとえば、方法は、システム、デバイス、装置の一部として実装され、および／あるいはプロセッサまたはコンピュータ上での実行のためにコンピュータ可読媒体に記憶された命令として実装され得る。さらに、１つの態様は、１つの請求項の少なくとも１つの要素を備え得る。
【００２８】
[0038]図１に、後でさらに説明する態様が実装され得る、権限を付与された共有アクセス（ＡＳＡ）を用いたＬＴＥシステムであり得る、多元接続ワイヤレス通信システムの一実装形態の詳細を示す。発展型ノードＢ（ｅＮＢ）１００（基地局、アクセスポイントまたはＡＰとしても知られる）は、あるグループが１０４と１０６とを含み、別のグループが１０８と１１０とを含み、追加のグループが１１２と１１４とを含む、複数のアンテナグループを含み得る。図１では、アンテナグループごとに２つのアンテナのみが示されているが、アンテナグループごとにより多いまたはより少ないアンテナが利用され得る。ユーザ機器（ＵＥ）１１６（ユーザ端末、アクセス端末、またはＡＴとしても知られる）はアンテナ１１２および１１４と通信しており、アンテナ１１２および１１４は、順方向リンク（ダウンリンクとしても知られる）１２０を介してＵＥ／アクセス端末１１６に情報を送信し、逆方向リンク（アップリンクとしても知られる）１１８を介してＵＥ１１６から情報を受信する。第２のＵＥ１２２はアンテナ１０４および１０６と通信していることがあり、アンテナ１０４および１０６は、順方向リンク１２６を介してＵＥ１２２に情報を送信し、逆方向リンク１２４を介してアクセス端末１２２から情報を受信する。
【００２９】
[0039]周波数分割複信（ＦＤＤ）システムでは、通信リンク１１８、１２０、１２４および１２６は、通信のために異なる周波数を使用し得る。たとえば、順方向リンク１２０は、逆方向リンク１１８によって使用されるものとは異なる周波数を使用し得る。時分割複信（ＴＤＤ）システムでは、ダウンリンクおよびアップリンクは共有され得る。
【００３０】
[0040]アンテナの各グループ、および／またはアンテナが通信するように設計されたエリアは、しばしば、ｅＮＢのセクタと呼ばれる。すなわち、各アンテナグループは、ｅＮＢ１００によってカバーされるエリアのセクタ中のＵＥに通信するように設計される。順方向リンク１２０および１２６を介した通信では、ｅＮＢ１００の送信アンテナは、異なるアクセス端末１１６および１２２について順方向リンクの信号対雑音比を改善するためにビームフォーミングを利用する。また、ビームフォーミングを使用して、それのカバレージ中にランダムに分散されたＵＥに送信するｅＮＢは、単一のアンテナを介してすべてのそれのＵＥに送信するｅＮＢよりも、隣接セル中のＵＥへの干渉を引き起こすことが少ない。ｅＮＢは、ＵＥとの通信のために使用される固定局であり得、アクセスポイント、ノードＢ、または何らかの他の等価な用語で呼ばれることもある。ＵＥは、アクセス端末、ＡＴ、ユーザ機器、ワイヤレス通信デバイス、端末、または何らかの他の等価な用語で呼ばれることもある。ＵＥ１１６および１２２などのＵＥは、たとえば、ＧＥＲＡＮおよび／またはＵＴＲＡＮネットワークなどの他の通信ネットワーク（図示せず）の他のノードとともに動作するようにさらに構成され得る。その上、ｅＮＢ１００などの基地局は、リダイレクションコマンド（redirection command）の使用によってなど、他のネットワークの基地局への、サービスされているＵＥのハンドオーバを容易にするように構成され得る。
【００３１】
[0041]図２に、後で説明する態様などの態様が実装され得る、ＡＳＡを用いたＬＴＥシステムなどの多元接続ワイヤレス通信システム２００の一実装形態の詳細を示す。多元接続ワイヤレス通信システム２００は、セル２０２、２０４、および２０６を含む複数のセルを含む。一態様では、セル２０２、２０４、および２０６は、複数のセクタを含むｅＮＢを含み得る。複数のセクタはアンテナのグループによって形成され得、各アンテナは、セルの一部分におけるＵＥとの通信を担当する。たとえば、セル２０２において、アンテナグループ２１２、２１４、および２１６は各々異なるセクタに対応し得る。セル２０４において、アンテナグループ２１８、２２０、および２２２は各々異なるセクタに対応する。セル２０６において、アンテナグループ２２４、２２６、および２２８は各々異なるセクタに対応する。セル２０２、２０４、および２０６は、各セル２０２、２０４、または２０６の１つまたは複数のセクタと通信していることがある、いくつかのワイヤレス通信デバイス、たとえば、ユーザ機器またはＵＥを含むことができる。たとえば、ＵＥ２３０および２３２はｅＮＢ２４２と通信していることがあり、ＵＥ２３４および２３６はｅＮＢ２４４と通信していることがあり、ＵＥ２３８および２４０はｅＮＢ２４６と通信していることがある。セルおよび関連する基地局はシステムコントローラ２５０に結合され得、システムコントローラ２５０は、マルチモード協調および動作、ならびに本明細書で説明する他の態様、に関係する、本明細書でさらに説明する機能を実施するために使用され得るような、たとえば、ＭＭＥおよびＳＧＷを含む、コアまたはバックホールネットワークの一部であり得るか、あるいはコアまたはバックホールネットワークへの接続性を与え得る。
【００３２】
[0042]事業者のシステムは、異なるＲＡＴを使用する、（たとえば、認可スペクトルと無認可スペクトルとの任意の組合せ上での使用を可能にするＬＴＥネットワーク構成を含む、図２および図３に示されているＬＴＥネットワーク構成に加えて）複数のタイプであり得る複数のネットワークを含み得る。たとえば、あるタイプは、データ処理を中心とする（data-centric）ＬＴＥシステムであり得る。別のタイプは、Ｗ−ＣＤＭＡシステムなどのＵＴＲＡＮシステムであり得る。さらに別のタイプは、場合によってはデュアル転送モード（ＤＴＭ：dual transfer mode）対応であり得るＧＥＲＡＮシステム（本明細書ではＤＴＭ  ＧＥＲＡＮとしても示される）であり得る。いくつかのＧＥＲＡＮネットワークは非ＤＴＭ対応（non-DTM capable）であり得る。ＵＥなどのマルチモードユーザ端末は、これらならびに他のネットワーク（たとえば、ＷｉＦｉまたはＷｉＭａｘ（登録商標）ネットワークなど）などの複数のネットワークにおいて動作するように構成され得る。
【００３３】
[0043]権限を付与された共有アクセス（ＡＳＡ）は、（本明細書では１次ライセンシーと（primary licensee）も呼ぶ）（１つまたは複数の）インカンベント（incumbent）システム、しばしば、軍隊など、政府機関、によって時間、地理、および／または周波数において未使用のスペクトルの部分が規制ライセンスを介して（１つまたは複数の）商業ライセンシーに対して許可され、それにより、そのスペクトルが（１つまたは複数の）１次またはインカンベントシステムによって使用されない時間および場所でのそのスペクトル上での商業サービスの提供（provision of the commercial services）が可能になる、スペクトル認可モデル（spectrum licensing model）である。本明細書では、ＡＳＡを実装するためのアーキテクチャについて説明し、ＡＳＡ技術の一実装形態を示すが、その技術を図示の実施形態に限定するものではない。
【００３４】
[0044]本開示では以下の用語が使用される。  
ＡＳＡ−１    １次ライセンシーとＡＳＡコントローラとの間のインターフェース
ＡＳＡ−２    ＡＳＡコントローラとＡＳＡネットワーク管理システムとの間のインターフェース
ＡＳＡ−３    ＡＳＡネットワークマネージャとＡＳＡネットワーク要素との間のインターフェース
ＡＳＡコントローラ    どのＡＳＡスペクトルがＡＳＡネットワークによる使用のために利用可能であるかに関する情報をネットワークコントローラから受信し、どのＡＳＡスペクトルが利用可能であるかをＡＳＡネットワークマネージャに通知するためにＡＳＡネットワークマネージャに制御情報を送るエンティティ
ＡＳＡネットワークマネージャ    限定はしないがＡＳＡスペクトル中で動作するデバイスを含む、それのネットワークを制御および管理するＡＳＡネットワーク事業者によって操作されるエンティティ
ＡＳＡライセンシー    ＡＳＡスペクトルを使用するためのＡＳＡライセンスを取得したワイヤレスネットワーク事業者
権限を付与された共有アクセス    １次ライセンシーによって未使用であるスペクトルの部分をＡＳＡ事業者が利用するスペクトル認可のタイプ
ＡＳＡスペクトル    １次ライセンシーによって十分に利用されず、ＡＳＡ事業者による使用のために認可されたスペクトル。ＡＳＡスペクトル利用可能性は、ロケーション、周波数、および時間によって指定される
排除ゾーン（Exclusion Zone）    インカンベントまたは１次システムを保護するように、ＡＳＡネットワークが動作することを許可されない地理的領域
インカンベントまたは１次ＡＳＡライセンシー    周波数帯域を利用し続けるが、常にすべてのロケーションにおいて周波数帯域全体を使用するとは限らない、周波数の帯域を利用する権利を最初に保持するエンティティ
インカンベントネットワークコントローラ    ＡＳＡスペクトル中で動作するそれのネットワークを制御および管理するインカンベントまたは１次ライセンシーによって操作されるエンティティ。
【００３５】
[0045]ＡＳＡアーキテクチャを実装するために様々なエンティティが使用される。一態様では、ＡＳＡアーキテクチャ３００は、図３に示されているように、単一のインカンベントまたは１次システムのネットワークコントローラ３１２と、単一のＡＳＡネットワークのＡＳＡネットワークマネージャ３１４とに結合されたＡＳＡコントローラ３０２を含み得る。インカンベントシステムは１次ＡＳＡライセンシーであり得、ＡＳＡネットワークは２次ＡＳＡライセンシーであり得る。
【００３６】
[0046]ネットワークコントローラ３１２は、指定された時間およびロケーションにおいてＡＳＡスペクトルがインカンベントまたは１次システムによってどのように使用されるかに気づいている。ネットワークコントローラ３１２は、ＡＳＡスペクトルのインカンベントまたは１次ユーザ使用に関する情報をＡＳＡコントローラ３０２に与える。この情報をＡＳＡコントローラ３０２に与えるために、ネットワークコントローラ３１２が使用することができるいくつかの方法がある。たとえば、ネットワークコントローラ３１２は、排除時間とともに排除ゾーンのセットを指定し得る。別のオプションは、ネットワークコントローラ３１２がロケーションのセットにおいて最大許容干渉（maximum allowed interference）を指定することである。ネットワークコントローラ３１２は、このインカンベントまたは１次ユーザ保護情報をＡＳＡ−１インターフェース３１６を介してＡＳＡコントローラ３０２に送るが、その態様について以下でより詳細に説明する。インカンベントまたは１次ユーザ保護情報は、ＡＳＡコントローラ３０２によってデータベース３０６に記憶され得る。
【００３７】
[0047]ＡＳＡコントローラ３０２は、どのＡＳＡスペクトルがＡＳＡネットワークによって使用され得るかを決定するために、ネットワークコントローラ３１２からの情報を使用する。任意の所与のロケーションについて任意の所与の時間にどのＡＳＡスペクトルが使用され得るかを決定するためにＡＳＡコントローラ３０２によって使用される方法は、ＡＳＡプロセッサ３０４によってアクセスされるルールデータベース３０８において指定される。ルールデータベース３０８は規制ルール（regulatory rules）を記憶する。これらのルールは、ＡＳＡ−１インターフェースまたはＡＳＡ−２インターフェースのいずれかを通して変更されないことがあり、ＡＳＡコントローラ３０２を管理する個人または団体によって更新されることがある。ルールデータベース３０８中のルールによって算出された、どのＡＳＡスペクトルが利用可能であるかは、ＡＳＡスペクトル利用可能性データベース３１０に記憶され得る。
【００３８】
[0048]ＡＳＡコントローラ３０２は、スペクトル利用可能性データベースに基づいて、どのＡＳＡスペクトルが利用可能であるかに関する情報をＡＳＡ−２インターフェース３１８を介してＡＳＡネットワークマネージャ３１４に送り得る。ＡＳＡネットワークマネージャ３１４は、それの制御下の基地局の地理的ロケーション、また、送信電力、サポートされる動作周波数などを含むこれらの基地局の送信特性に関する情報を知るかまたは決定し得る。ＡＳＡネットワークマネージャ３１４は、所与のロケーションまたは地理的領域においてどのＡＳＡスペクトルが利用可能であるかを発見するために、ＡＳＡコントローラ３０２に照会し得る。また、ＡＳＡコントローラ３０２は、ＡＳＡスペクトル利用可能性に対する任意の更新をリアルタイムでＡＳＡネットワークマネージャ３１４に通知し得る。これは、ＡＳＡスペクトルがもはや利用可能でない場合、ＡＳＡコントローラ３０２がＡＳＡネットワークマネージャ３１４に通知することを可能にし、その結果、そのＡＳＡネットワークがそのスペクトルを使用することを中止することができ、その結果、ネットワークコントローラ３１２は、リアルタイムでＡＳＡスペクトルへの排他的アクセスを取得することができる。
【００３９】
[0049]ＡＳＡネットワークマネージャ３１４は、コアネットワーク技術に応じて、標準ネットワーク要素に組み込まれ得る。たとえば、ＡＳＡネットワークがロングタームエボリューション（ＬＴＥ）ネットワークである場合、ＡＳＡネットワークマネージャは、オペレーション、アドミニストレーションおよびメンテナンス（ＯＡＭ：operations, administration and maintenance）サーバに組み込まれ得る。インターフェースＡＳＡ−１およびＡＳＡ−２に関するさらなる情報は、以下の開示において見つけられ得る。
【００４０】
[0050]図３において、単一のネットワークコントローラ３１２および単一のＡＳＡネットワークマネージャ３１４が、両方ともＡＳＡコントローラ３０２に接続されて示されている。図４に示されているシステム４００の場合のように、複数のＡＳＡネットワーク（たとえば、ＡＳＡネットワークＡ、ＡＳＡネットワークＢおよびＡＳＡネットワークＣ）がＡＳＡコントローラ４０２に接続されることも可能である。ＡＳＡネットワークＡは、ＡＳＡコントローラ４０２に結合されたＡＳＡネットワークＡマネージャ４１４を含み、ＡＳＡネットワークＢは、ＡＳＡコントローラ４０２に結合されたＡＳＡネットワークＢマネージャ４２０を含み、ＡＳＡネットワークＣは、ＡＳＡコントローラ４０２に結合されたＡＳＡネットワークＣマネージャ４２２を含む。この場合、複数のＡＳＡネットワークは同じＡＳＡスペクトルを共有し得る。ＡＳＡスペクトルのこの共有が達成され得るいくつかの方法がある。１つの方法は、所与の領域中について、各ネットワークがＡＳＡスペクトル内のサブバンドに制限されることである。各ＡＳＡネットワークが各サブバンドに対する権利をどのように取得するかは本明細書の範囲外であり、規制スペクトルオークションプロセス（regulatory spectrum auctioning process）において対処され得る。ＡＳＡネットワークがＡＳＡスペクトルを共有するための別の方法は、緊密なタイミング同期を使用すること、および異なるネットワークのチャネルアクセスのスケジューリングである。一例として、このＡＳＡ共有手法がＬＴＥネットワークのために研究された。システム４００は、（図３中のデータベース３０８と同様の）データベース４０６に対してインカンベントまたは１次ユーザ保護情報を与えるために、ＡＳＡ−１インターフェース４１６を介してＡＳＡコントローラ４０２と通信するインカンベントまたは１次システムのネットワークコントローラ４１２をさらに含み得る。ＡＳＡコントローラ４０２は、（図３中のルールデータベース３０８と同様の）ルールデータベース４０８と（図３中のＡＳＡスペクトル利用可能性データベース３１０と同様の）ＡＳＡスペクトル利用可能性データベース４１０とに結合されたプロセッサ４０４を含み得る。ＡＳＡコントローラ４０２は、ＡＳＡ−２インターフェース４１８を介してＡＳＡネットワークマネージャ４１４、４２０および４２２と通信し得る。インカンベントまたは１次システムは１次ライセンシーであり得、ＡＳＡネットワークＡ、Ｂ、Ｃは２次ライセンシーであり得る。
【００４１】
[0051]（１つまたは複数の）ＡＳＡネットワークマネージャは、所望のスペクトル使用制御を達成するために、ｅＮＢなど、様々なネットワーク要素と対話する必要があり得る。これは、無線アクセスネットワーク５１２中のｅＮＢ５１６、５１８と、ＯＡＭ５１０中に組み込まれたＡＳＡネットワークマネージャノードとの間のＡＳＡ−３インターフェースを含むシステム５００を示す図５に示されているように、ＡＳＡ−３インターフェースの使用によって容易にされ得る。無線アクセスネットワーク５１２はコアネットワーク５１４に結合され得る。ＡＳＡコントローラ５０２は、ＡＳＡ−２インターフェース５０８を介してＯＡＭ５１０と、ＡＳＡ−１インターフェース５０６を介して１次ユーザ（ライセンシー）ノード（たとえば、ネットワークコントローラ）５０４とに結合され得る。
【００４２】
[0052]また、同じＡＳＡスペクトルのために複数のネットワークコントローラ５０４を有することが可能である。単一のネットワークコントローラは、所与のＡＳＡ周波数帯域のためのインカンベントまたは１次ユーザ保護に関する完全な情報を与えることができる。その理由で、アーキテクチャは単一のネットワークコントローラに限定され得る。しかしながら、複数のネットワークコントローラがサポートされ得るが、それを単一のネットワークコントローラに制限することがより簡単で、よりセキュアであり得ることに留意されたい。
【００４３】
[0053]図３〜図５の上述の要素はＡＳＡアーキテクチャに限定されない。そうではなく、図３〜図５の要素は、マルチティア共有アクセスシステム（multi-tiered shared access system）など、他の共有アクセスシステムのために使用されることも企図される。
【００４４】
[0054]上記で説明したように、権限を付与された共有アクセス（ＡＳＡ）は、国防組織など、インカンベントシステムまたはユーザのために指定された帯域への一時的アクセスを与える。一構成では、インカンベントユーザは、それの時間変動要件（time-varying requirements）を、権限を付与された共有アクセスシステムに開示し、権限を付与された共有アクセスコントローラは、開示された時間変動要件に基づいて、モバイルネットワーク事業者のためのリソース許可（resource grants）を決定する。すなわち、モバイルネットワーク事業者は、インカンベントユーザによって利用可能にされた（すなわち、使用されない）スペクトルリソースへのアクセスを許可される。本開示では、スペクトルリソースはリソースと呼ばれることがある。
【００４５】
[0055]さらに、本開示では、スペクトルリソースは空間におけるスペクトル使用を指すことがある。一例として、スペクトル帯域ＦはゾーンＹ中で利用可能であり得る。本例では、帯域の一部分（Ｆ１）は、ゾーンＹのための特定の地理的エリア（Ｙ１）のために指定され得る。したがって、本例では、残りの帯域（Ｆ−Ｆ１）は、すべてのゾーンＹ中で利用可能であり得る。さらに、帯域の一部分（Ｆ１）は、特定の地理的エリア（Ｙ１）の外側で利用可能であり得る。
【００４６】
[0056]場合によっては、スペクトル共有にさらなるグラニュラリティ（granularity）を追加することが望ましいことがある。本開示の態様は、スペクトルリソースを共有するための、３ティアシステムなどのマルチティアシステムを対象とする。一構成では、スペクトルリソースは３．５ＧＨｚ帯域からのリソースであり得る。さらに、一構成では、３ティアシステムは、インカンベントシステム／ユーザ（incumbent systems/users）のために指定された第１スペクトルティアと、優先アクセスシステム／ユーザ（priority access systems/user）（たとえば、緊急サービス）のために指定された第２スペクトルティアと、一般的アクセスシステム／ユーザのために指定された第３スペクトルティアとを含む。一般的アクセスシステムは無認可システムであり得る。本開示では、スペクトルティアのために指定されたシステムはユーザと呼ばれることもある。さらに、本開示では、スペクトルティアはティアと呼ばれることもある。３つのティアについて説明するが、本開示は４つまたはそれ以上のティアをも企図する。
【００４７】
[0057]図６に、本開示の一態様による、マルチティアシステムを示すブロック図を示す。図６に示されているように、マルチティアシステムは複数のティア１〜４を有し得る。各ティアは、インカンベントシステム、一般的アクセスシステム、および／または優先アクセスシステムなど、特定のシステムのために指定され得る。一構成では、スペクトルコントローラが、上位レベルティアから未使用スペクトルを示す情報を受信し得る。スペクトルコントローラは、次いで、示された未使用スペクトルに基づいて、利用可能スペクトルを下位レベルティアに通知し得る。
【００４８】
[0058]たとえば、第１ティアのシステムＡが、それの未使用スペクトルをスペクトルコントローラに報告し得る。さらに、本例では、第１ティアのシステムＡの未使用スペクトルに基づいて、スペクトルコントローラは、利用可能なスペクトルを第２ティアの、システムＡおよびシステムＢなどのシステムに通知し得る。その上、第２ティアのシステムは、第１ティアから利用可能な未使用スペクトルをスペクトルコントローラに報告し得、スペクトルコントローラは、次いで、第２ティアおよび第１ティアの未使用スペクトルに基づいて、利用可能なスペクトルを第３ティアのシステムに通知し得る。最終的に、第３ティアのシステムは、第２ティアから利用可能なそれらの未使用スペクトルをスペクトルコントローラに報告し得、スペクトルコントローラは、次いで、第３ティア、第２ティア、および第１ティアの未使用スペクトルに基づいて、利用可能なスペクトルを第４ティアのシステムに通知し得る。各ティアは、別々に管理されるように説明されるが、ティア内の複数のライセンシーが１つのエンティティによって管理され得、他のライセンシーは別のエンティティによって管理され得る。たとえば、各システムに割り振られたリソース上に固定境界があるか、またはいくつかの他の管理手法があり得る。
【００４９】
[0059]上記で示唆したように、ワイヤレス通信のために使用できる利用可能なワイヤレススペクトルは複数の方法で共有され得る。垂直共有は、インカンベントまたは１次システムと１つまたは複数の他のシステムとの間のスペクトルの共有である。一例では、インカンベントまたは１次ユーザは、機関または軍隊の支部など、政府事業体（governmental entit）であり得る。インカンベントまたは１次ユーザは、スペクトルを常に、全国的に、または全体として使用するとは限らないことがある。その場合、規制当局は、スペクトルが１次またはインカンベントユーザによって使用されない時間および場所でスペクトルを使用することを１つまたは複数の商業エンティティに認可し得る。垂直共有では、インカンベント／１次ユーザと２次ユーザとの間に共通カスタマー（common customers）がいない。スペクトルは水平方向にも共有され得る。水平共有では、スペクトルは競合システム間で共有される。水平共有シナリオでは、インカンベントまたは１次ユーザがいることもいないこともある。インカンベントまたは１次ユーザが存在する場合、インカンベントまたは１次ユーザは優先度の非対称階層（asymmetric hierarchy of priority）を導入し得る。たとえば、一部のユーザは、他のユーザに優先してスペクトルにアクセスし得る。水平共有方式では、存在する場合にインカンベントまたは１次ユーザと、他のユーザとの間に共通カスタマーがあり得る。たとえば、５ＧＨｚ無認可帯域のある部分では、認可されたインカンベントまたは１次ユーザがいない。したがって、すべてのユーザ間は同等である。しかしながら、他の帯域では、スペクトルは単一の会社に対して認可されるが、アクセスは、ワイヤレス・インターネット・サービスプロバイダ（ＷＩＳＰ）など、複数の２次ユーザにリースされ得る。
【００５０】
[0060]垂直共有シナリオでは、概して、２つの認可パラダイム、厳格認可およびハイブリッド認可（strict licensing and hybrid licensing）がある。上記で参照したＡＳＡは厳格認可パラダイムに分類され、認可された共有アクセス（ＡＳＡまたはＬＳＡ：Licensed Shared Access）と呼ばれることもある。ＡＳＡライセンシーは、インカンベントまたは１次ユーザとＡＳＡライセンシーとの間のバイナリスペクトル共有構成（binary spectrum sharing arrangement）における規制者からいくつかのアクセス権を獲得する。スペクトルアクセスシステム（ＳＡＳ：Spectrum Access System）と呼ばれることがあるハイブリッド認可は、ユーザの１つのセット（たとえば、第２ティアユーザまたは「２Ｔ」）がスペクトルにアクセスする際に他のセット（たとえば、３Ｔ、４Ｔなど）に優先することになる、非インカンベントまたは１次ユーザ間の非対称階層を与える。たとえば、米国における３．５ＧＨｚスペクトルは、現在、米国政府、すなわち米海軍（１次またはインカンベントユーザ）によって占有されている。モバイルネットワーク事業者（ＭＮＯ：Mobile network operators）などは、スペクトルのための認可を取得することを希望している。他のアクセスエンティティに優先するエンティティは第２ティアアクセスライセンシー（２Ｔ）と呼ばれることがある。３．５ＧＨｚスペクトルにアクセスし得る他のユーザは、一般的な、権限を付与されたアクセス（ＧＡＡ：general authorized access）ユーザと呼ばれることがある第３ティアユーザまたは３Ｔである。これらの３Ｔユーザは３．５ＧＨｚスペクトルにアクセスし得るが、２Ｔユーザのほうがアクセスの際に優先する。
【００５１】
[0061]本開示の様々な態様は、ＳＡＳを通したハイブリッド認可を対象とする。本開示によるＳＡＳは、超優先インカンベント（super-priority incumbent）から優先２Ｔユーザへ、３Ｔユーザへという優先度における厳格な階層をもつユーザの３つのティアを可能にする。本開示によるＳＡＳはまた、個々のデバイスがＳＡＳデータベースに登録しないようなネットワーク制御型アーキテクチャを採用する。その上、ＳＡＳ展開は２Ｔユーザに対して予測可能なＱｏＳを保証する。
【００５２】
[0062]本開示による様々なＳＡＳ展開は、２つのティア（たとえば、インカンベントユーザおよび２Ｔユーザ）のみが存在するとき、ＡＳＡモデルにディジェネレート（degenerate）し得、単一の第３ティア（たとえば、３Ｔユーザ）のみが存在するとき、無認可モデルにディジェネレートし得る。
【００５３】
[0063]図７は、本開示の一態様に従って構成されたＳＡＳ展開７０を示すブロック図である。ＳＡＳ展開７０は、スペクトル共有の２つのティアのみが存在するときのネットワークを示す。インカンベントユーザ７００は、ＳＡＳ−１インターフェースを介してＳＡＳコントローラ７０１との１次接続を維持する。ＳＡＳ−１インターフェースは、特徴および機能において、ＡＳＡ展開に関して上記で説明したＡＳＡ−１インターフェースと同等である。ＳＡＳ展開７０を通して共有されるスペクトルは、ＳＡＳ−２インターフェースを介して２Ｔオペレーション、アドミニストレーションおよびメンテナンス（ＯＡＭ）サーバ７０２において管理される。ＳＡＳ−２インターフェースは、特徴および機能において、上記で説明したＡＳＡ−２インターフェースと同等である。したがって、ＳＡＳ展開７０において所与の時間に利用可能な２つのティアのみがある場合、ＳＡＳモデルは厳格認可ＬＳＡ／ＡＳＡモデルにディジェネレートする。
【００５４】
[0064]２Ｔコアネットワーク７０３は、ＳＡＳ展開７０の共有スペクトルへのアクセスを制御する際に２Ｔ  ＯＡＭサーバ７０２を管理する。２Ｔ無線アクセスネットワーク７０４は、ｅＮＢ７０５〜７０６による共有スペクトルへの、権限を付与されたアクセスを与える際に２Ｔ  ＯＡＭサーバ７０２を通して対話する。ＳＡＳ展開７０は、認可スペクトル上で通常のＬＴＥアクセス技術を使用して、ならびに補足ダウンリンク（ＳＤ：supplemental downlink）モードまたはキャリアアグリゲーション（ＣＡ：carrier aggregation）モードのために認可スペクトルと無認可スペクトルとの任意の組合せを使用するＬＴＥ／ＬＴＥ−Ａアクセス技術を使用して、２Ｔ  ＲＡＮ７０４による共有スペクトルへのアクセスを与える。
【００５５】
[0065]図８は、本開示の一態様を実装するために実行される例示的なブロックを示す機能ブロック図である。ブロック８００において、２Ｔ送信機などの第２ティア送信機が、インカンベントなどの第１スペクトルティアから、１つまたは複数の共有チャネルを含む利用可能な共有スペクトルリソースの指示を受信する。これらの共有チャネルは、認可、無認可、またはそれらの様々な組合せであり得る。この第１のブロックは、利用可能なスペクトルのステータスを検査する。第２ティアまたは２Ｔ送信機は、ＳＡＳ−２インターフェースを使用してＳＡＳコントローラおよびデータベースに照会する２Ｔ  ＯＡＭサーバからの指示を取得する。２Ｔ  ＯＡＭサーバは、時間、地理、チャネルなどにおける最大許容受信機パワースペクトル密度（maximum allowed receiver power spectral density）などの情報を含むスペクトルステータスを受信する。この情報は、共有スペクトルリソースへのアクセス情報とともに、照会する２Ｔ  ＯＡＭサーバに関連する２Ｔ中の基地局に与えられる。
【００５６】
[0066]ブロック８０１において、第２ティア送信機は、それが送信すべきデータを有するか否かを決定する。２Ｔ基地局または他の送信機は、ＳＡＳネットワーク展開上への送信のためのデータがあるかどうかを決定することになる。送信のためのデータが現在検出されない場合、第２ティア送信機はそのような送信データについて監視し続けることになる。
【００５７】
[0067]第２ティア送信機が、それが送信すべきデータを有すると決定した場合、ブロック８０２において、２Ｔ基地局などの第２ティア送信機は、利用可能なスペクトル内の任意の共有チャネルに関連するクリアチャネルアセスメント（ＣＣＡ）期間中にチャネル予約信号を送信する。チャネル予約信号は、データ自体の送信、またはＣＵＢＳなどの他のタイプの信号の送信を含み得る。ＣＣＡは、共有チャネル上に送信することを試みる送信機によって実施され得る。この目的は、送信機が、共有チャネルがすでに使用中であるか否か、または別の送信機が共有チャネル上で信号を送信しているかどうか、を検出することである。ＣＣＡ検査を実施する送信機がクリアチャネルを検出することができない場合、送信機は、ＣＣＡ検査を再試行する前の時間の長さの間、そのチャネル上での送信をバックオフする（back off）ことになる。たとえば、ＣＣＡは、認可チャネルまたは無認可チャネル上に送信することを試みるときに実施され得る。
【００５８】
[0068]ブロック８０３において、第２ティア送信機は、利用可能な共有スペクトルリソース上で送信のためのデータを送信する。これらの利用可能な共有スペクトルリソースはまた、認可チャネルと無認可チャネルとの任意の組合せを含み得る。２Ｔ基地局またはｅＮＢなど、第２ティア送信機は、利用可能な共有チャネルのいずれかを使用して送信し得る。しかしながら、２Ｔ送信機は、ＳＡＳコントローラからのこれらのチャネルに対する排他的権利をすでに有するので、２Ｔ送信機は、最初にクリアチャネルを検出することなしに共有チャネルにアクセスし得る。この送信は、信号がＣＣＡ期間中に送信されるとき、ブロック８０２を通して保護される。したがって、ＣＣＡ期間中の２Ｔ送信が３Ｔユーザへの媒体アクセスを否認するので、エリア中にあり得る３Ｔユーザは共有チャネル上での送信を防がれるであろう。
【００５９】
[0069]図９は、本開示の一態様を実装するために実行される例示的なブロックを示す機能ブロック図である。ブロック９００において、第３ティア送信機が、第１スペクトルティアから、１つまたは複数の共有チャネルを含む共有スペクトルリソースの利用可能性の指示を受信する。これらの共有チャネルは、認可チャネルと無認可チャネルとの任意の組合せを含み得る。第３ティア送信機は、３Ｔ基地局またはｅＮＢ、あるいは無線アクセスネットワーク内の複数の３Ｔ  ｅＮＢの通信を容易にする３Ｔ無線アクセスネットワークを含み得る。第３ティア送信機は、ＳＡＳ−２インターフェースを使用してＳＡＳコントローラおよびデータベースに照会することによって、利用可能な共有スペクトルリソースのステータスを検査する。受信される指示は、時間、地理、チャネルなどにおける最大許容受信機パワースペクトル密度などの情報とともにスペクトルステータスを含む。
【００６０】
[0070]ブロック９０１において、第３ティア送信機は、利用可能な共有スペクトルリソースの複数のチャネルを少なくとも１つの第２ティア送信機の存在について監視する。３Ｔ基地局は、すべての利用可能なチャネルにおいて任意の２Ｔ基地局の存在を検出することを試みる。３Ｔ基地局は、２Ｔ基地局によって送信された任意の同期信号およびシステム情報について監視する。
【００６１】
[0071]ブロック９０２において、第２ティア送信機が検出されたかどうかの決定が行われる。検出された場合、ブロック９０３において、第３ティア送信機は、それのタイミングを検出された第２ティア送信機に同期させる。３Ｔ基地局は、２Ｔ送信機を検出すると、それのタイミングを２Ｔ送信機と同期させ、したがって、２Ｔシステムと連動する（coupling with）。
【００６２】
[0072]ブロック９０４において、第３ティア送信機は、利用可能な共有スペクトルリソースの共有チャネルのＣＣＡ検査を実施する。したがって、２Ｔユーザが検出されたとき、３Ｔユーザは、２Ｔユーザがその上で検出されないチャネルのうちの１つを選択し得るか、または２Ｔユーザがすべてのチャネル上で検出された場合、３Ｔユーザは、２Ｔユーザと同じチャネルを占有し得る。しかしながら、３Ｔユーザは、共有チャネル上への送信の前にＣＣＡ検査を実施しなければならないので、２Ｔユーザは、それが送信すべきデータを有するとき、ＣＣＡ期間中に信号を常に送信し、それは３ＴユーザのＣＣＡ検査が失敗することを引き起こすので、３Ｔユーザはどの２Ｔ送信にも干渉しないことがあり得る。
【００６３】
[0073]ブロック９０５において、第３ティア送信機がクリアなＣＣＡを検出することができない場合、第３ティア送信機は、ブロック９０１において、第２ティア送信機の存在について再び監視する。そうではなく、第３ティア送信機がクリアなＣＣＡを検出した場合、ブロック９０６において、第３ティア送信機は共有チャネル上でデータを送信することになる。
【００６４】
[0074]３Ｔユーザは、２Ｔユーザの存在について監視するとき、チャネルのすべて上で、またはチャネルのすべてよりも少ないチャネル上で２Ｔユーザを検出し得る。上述のように、２Ｔユーザが、利用可能な共有チャネルのいくつか上でのみ検出された場合、３Ｔユーザは、その上でＣＣＡ検査を実施し、潜在的に送信するために、「オープン」チャネルを選択し得る。そうではなく、２Ｔユーザがすべての利用可能な共有チャネル上で検出されたとき、３Ｔユーザは、同じチャネルを占有し、すべてのＬＢＴプロトコルが正常に満たされ得るときのみ単に送信し得る。２Ｔユーザの存在が検出された場合、３Ｔユーザと２Ｔユーザとの間のタイミングの同期は、３ＴユーザのＣＣＡ期間と２ＴユーザのＣＣＡ期間とが重複することを可能にする。２ＴユーザはＣＣＡ期間中に信号を送信するので、同期したタイミングは、３ＴユーザがＣＣＡ検査中に２Ｔユーザの送信を検出し、３Ｔユーザが干渉信号を送信するのを防ぐ可能性を高めることになる。これは、３Ｔユーザに優先する２Ｔユーザのためのサービス品質を保証する。
【００６５】
[0075]３Ｔユーザがどの２Ｔユーザをも検出しないことも考えられる。そのようなシナリオでは、３Ｔ送信機は、２Ｔ送信機とタイミングを同期させる機会を有しないことになる。しかしながら、３Ｔユーザは、共有チャネル上で送信するより前にＣＣＡ検査を常に実施しなければならないので、２Ｔ送信との衝突の可能性はより低い。この潜在的シナリオでは、３Ｔユーザが２Ｔの存在について監視することを繰り返すための、長すぎない期間（たとえば、１０〜６０秒）を選択することが有益であり得る。ダウンリンクシステムタイミングを２Ｔにスレーブする（slave）。これは、ＣＣＡタイミングがチャネルにおいて２Ｔと３Ｔとにわたって整合されることを保証する。
【００６６】
[0076]図１０は、本開示の一態様に従って構成されたＳＡＳ展開８０を示すブロック図である。図１０に示されたＳＡＳ展開８０は、図８におけるＳＡＳ展開８０の例とは異なる時間インスタンスを示している。図１０に示された時間期間において、現在、３Ｔユーザが存在する。インカンベント８００は、ＳＡＳ−１インターフェースを介してＳＡＳコントローラ８０１との１次接続を維持し続ける。ＳＡＳ展開８０を通して２Ｔユーザと共有されるスペクトルは、ＳＡＳ−２インターフェースを介して２Ｔ  ＯＡＭサーバ８０２において管理され続け、共有スペクトルリソースへのアクセスが２Ｔ  ＲＡＮ８０４のｅＮＢ８０５〜８０６と２Ｔコアネットワーク８０３とに与えられる。しかしながら、３Ｔユーザも、現在、共有スペクトルリソースへの第３ティアのアクセスを管理するために、ＳＡＳ−３インターフェースを介してＳＡＳコントローラ８０１と直接対話する。ＳＡＳ−３インターフェースは、ＳＡＳコントローラ８０１と、３Ｔ−１  ＲＡＮ１０００中でサービスされる３Ｔ  ｅＮＢ１００１〜１００２、および３Ｔ  ｅＮＢ１００３〜１００４など、３Ｔ基地局と、の間の直接インターフェースを与える。
【００６７】
[0077]３Ｔ  ｅＮＢ１００１〜１００４の３Ｔユーザ展開は、無認可スペクトルを用いたＬＴＥ／ＬＴＥ−Ａのスタンドアロンモードを使用し得る。２ＴユーザがＳＡＳ展開８０中に存在するので、３Ｔ  ｅＮＢ１００１〜１００４は、その存在を検出し、２Ｔ  ｅＮＢ８０５〜８０６とタイミングを同期させる。２Ｔユーザへの同期は同期コネクタ１００５〜１００７によって示されている。上述のように、３Ｔユーザと２Ｔユーザとの同期は、無認可チャネルが２Ｔユーザによる送信のために保護されるように、ＣＣＡ期間中にｅＮＢ８０５〜８０６によって送信された信号が３Ｔ  ｅＮＢ１００１〜１００４によって検出されることを可能にする。２Ｔユーザが送信していないときのみ、無認可チャネル上での３Ｔユーザのデータ送信を可能にするために、３ＴユーザのＣＣＡ検査がクリアになる。
【００６８】
[0078]図１１は、本開示の一態様に従って構成されたＳＡＳ展開を示すタイムラインである。ＳＡＳ展開は、２Ｔユーザ１１０１と３Ｔユーザ１１０２との間で共有するために利用可能な無認可ＳＡＳスペクトル１１００を含む。時間ｔ０において、２Ｔユーザ１１０１は共有ＳＡＳスペクトル１１００を使用しない。したがって、３Ｔユーザ１１０２は共有ＳＡＳスペクトル１１００を占有し、使用する。３Ｔユーザ１１０２は、時間ｔ０において、共有ＳＡＳスペクトル１１００へのアクセス上で任意の送信が開始する前にＣＣＡ検査を実施する。時間ｔ１において、２Ｔユーザ１１０１は、それが送信のためのデータを有することを検出し、共有ＳＡＳスペクトル１１００にアクセスする。２Ｔユーザ１１０１は、ＣＣＡ検査を実施することなしに共有ＳＡＳスペクトル１１００にアクセスする。２Ｔユーザ１１０１が時間ｔ１において共有ＳＡＳスペクトル１１００にアクセスするゆえに、３Ｔユーザ１１０２は、同じく時間ｔ１において２Ｔユーザ１１０１の存在を検出する。時間ｔ１と時間ｔ１＋δとの間に、３Ｔユーザ１１０２は、それのタイミングを２Ｔユーザ１１０１のタイミングに同期させ、それの次のＣＣＡ検査中に送信を検出する。したがって、時間ｔ１＋δにおいて開始して、３Ｔユーザ１１０２はまた、共有ＳＡＳスペクトル１１００への送信アクセスを否認される。
【００６９】
[0079]２Ｔユーザ１１０１は、時間ｔ１と時間ｔ２との間に、共有ＳＡＳスペクトル１１００を占有し、その上に信号とデータとを送信する。時間ｔ２において、２Ｔユーザ１１０１は共有ＡＳＡスペクトル１１００を明け渡す（vacate）。時間ｔ２における次のＣＣＡ検査によって、３Ｔユーザ１１０２は、クリアなＣＣＡを検出し、時間ｔ２において再び共有ＳＡＳスペクトル１１００にアクセスし始める。
【００７０】
[0080]本開示の様々な態様では、利用可能なＳＡＳスペクトルリソースの共有チャネルが２Ｔユーザによって占有されるとき、３Ｔユーザは、ダウンリンクシステムタイミングを対応する２Ｔユーザと整合させ得る。そのような各３Ｔユーザは、極めて短い時間スケールにおいて、２Ｔユーザによって占有された共有チャネルの３Ｔユーザによる日和見的使用（opportunistic usage）を可能にする、ＬＢＴプロトコルプロシージャを実施する。たとえば、２Ｔユーザは、３００ｓの間共有チャネルを占有し、１０ｓの間共有チャネルを明け渡し、次いで、別の３００ｓの間共有チャネルを再び占有し得る。その場合、３Ｔユーザは、チャネルの２Ｔユーザの使用の間の１０ｓ間隔の間、共有チャネルを使用することができる。
【００７１】
[0081]２Ｔユーザをもたないチャネルでは、３Ｔユーザは、原則として、ＷｉＦｉを含む任意の技術を使用して送信し得ることに留意されたい。しかしながら、ＷｉＦｉは、同一チャネル展開（co-channel deployment）において２Ｔのサービス品質を維持する（preserve 2T quality of service）ことができない。したがって、３Ｔユーザは、２Ｔユーザがチャネルに入ったかまたはチャネルを完全に明け渡したとき、ＷｉＦｉから、認可スペクトルと無認可スペクトルとの任意の組合せを用いたＬＴＥ／ＬＴＥ−Ａを使用する送信に切り替える必要があろう。
【００７２】
[0082]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００７３】
[0083]図８〜図９の機能ブロックおよびモジュールは、プロセッサ、電子デバイス、ハードウェアデバイス、電子構成要素、論理回路、メモリ、ソフトウェアコード、ファームウェアコードなど、またはそれらの任意の組合せを備え得る。
【００７４】
[0084]さらに、本明細書の開示に関して説明した様々な例示的な論理ブロック、モジュール、回路、およびアルゴリズムステップは、電子ハードウェア、コンピュータソフトウェア、またはその両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能がハードウェアとして実装されるか、ソフトウェアとして実装されるかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈されるべきではない。当業者はまた、本明細書で説明した構成要素、方法、または相互作用の順序あるいは組合せは例にすぎないこと、および本開示の様々な態様の構成要素、方法、または相互作用は、本明細書で例示し、説明したもの以外の方法で組み合わせられるかまたは実施され得ることを容易に認識されよう。
【００７５】
[0085]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実施するように設計されたそれらの任意の組合せを用いて実装または実施され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００７６】
[0086]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサと一体であり得る。プロセッサおよび記憶媒体はＡＳＩＣ中に存在し得る。ＡＳＩＣはユーザ端末中に存在し得る。代替として、プロセッサおよび記憶媒体は、ユーザ端末中に個別構成要素として存在し得る。
【００７７】
[0087]１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとして、コンピュータ可読媒体上に記憶されるか、またはコンピュータ可読媒体を介して送信され得る。コンピュータ可読媒体は、ある場所から別の場所へのコンピュータプログラムの転送を可能にする任意の媒体を含む通信媒体と、コンピュータ記憶媒体との両方を含む。コンピュータ可読記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、接続はコンピュータ可読媒体と適切に呼ばれ得る。たとえば、ソフトウェアが、同軸ケーブル、光ファイバーケーブル、ツイストペア、またはデジタル加入者線（ＤＳＬ）を使用して、ウェブサイト、サーバ、またはその他のリモートソースから送信される場合、同軸ケーブル、光ファイバーケーブル、ツイストペア、またはＤＳＬは、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれるべきである。
【００７８】
[0088]特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成（composition）が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙（disjunctive list）を示す。
【００７９】
[0089]本開示についての以上の説明は、いかなる当業者も本開示を作成または使用することができるようにするために提供したものである。本開示への様々な変更は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願の出願当初の特許請求の範囲に記載された発明を付記する。
［Ｃ１］
第２ティア送信機において、利用可能な共有スペクトルリソースの指示を受信することと、ここにおいて、前記利用可能な共有スペクトルリソースが１つまたは複数の共有チャネルを含む、
前記第２ティア送信機において、送信のためのデータを決定することと、
前記第２ティア送信機によって、前記１つまたは複数の共有チャネルに関連するクリアチャネルアセスメント（ＣＣＡ）期間中にチャネル予約信号を送信することと、
前記第２ティア送信機によって、前記利用可能な共有スペクトルリソース上で送信のための前記データを送信することと
を備える、ワイヤレス通信の方法。
［Ｃ２］
送信のための前記データを前記送信することが、前記１つまたは複数の共有チャネルの少なくとも一部分上で送信することを含み、ここにおいて、前記１つまたは複数の共有チャネルが少なくとも１つの無認可チャネルを含む、Ｃ１に記載の方法。
［Ｃ３］
前記第２ティア送信機によって、前記１つまたは複数の共有チャネルに関連するすべてのクリアチャネルアセスメント（ＣＣＡ）プロシージャを無視すること
をさらに含む、Ｃ１に記載の方法。
［Ｃ４］
第１ティアユーザによって使用されないとき、前記第２ティア送信機が、前記利用可能な共有スペクトルリソースにアクセスすることを認可される、Ｃ１に記載の方法。
［Ｃ５］
前記指示が、第１スペクトルティアから前記第２ティア送信機において受信される、Ｃ１に記載の方法。
［Ｃ６］
第３ティア送信機において、利用可能な共有スペクトルリソースの指示を受信することと、ここにおいて、前記利用可能な共有スペクトルリソースが１つまたは複数の共有チャネルを含む、
前記第３ティア送信機によって、前記利用可能な共有スペクトルリソースの複数のチャネルを少なくとも１つの第２ティア送信機の存在について監視することと、
前記第３ティア送信機によって、前記１つまたは複数の共有チャネル上でクリアチャネルアセスメント（ＣＣＡ）を実施することと、
前記第３ティア送信機によって、前記ＣＣＡをクリアとして検出したことに応答して前記１つまたは複数の共有チャネル上でデータを送信することと
を備える、ワイヤレス通信の方法。
［Ｃ７］
前記第３ティア送信機において、前記少なくとも１つの第２ティア送信機を検出したことに応答して、前記少なくとも１つの第２ティア送信機とタイミングを同期させることをさらに含む、Ｃ６に記載の方法。
［Ｃ８］
前記複数のチャネルのすべてよりも少ないチャネル上での前記少なくとも１つの第２ティア送信機の検出に応答して、
前記少なくとも１つの第２ティア送信機の存在がその上で検出されない前記複数のチャネルのうちのチャネルを選択することをさらに含み、ここにおいて、ＣＣＡを前記実施すること、およびデータを前記送信することが、前記選択されたチャネル上で行われる、Ｃ６に記載の方法。
［Ｃ９］
前記監視することが、前記第３ティア送信機によって周期的に実施される、Ｃ６に記載の方法。
［Ｃ１０］
前記指示が、第１スペクトルティアから前記第３ティア送信機において受信される、Ｃ６に記載の方法。
［Ｃ１１］
第２ティア送信機において、利用可能な共有スペクトルリソースの指示を受信するための手段と、ここにおいて、前記利用可能な共有スペクトルリソースが１つまたは複数の共有チャネルを含む、
前記第２ティア送信機において、送信のためのデータを決定するための手段と、
前記第２ティア送信機によって、前記１つまたは複数の共有チャネルに関連するクリアチャネルアセスメント（ＣＣＡ）期間中にチャネル予約信号を送信するための手段と、  前記第２ティア送信機によって、前記利用可能な共有スペクトルリソース上で送信のための前記データを送信するための手段と
を備える、ワイヤレス通信のために構成された装置。
［Ｃ１２］
送信のための前記データを送信するための前記手段が、前記１つまたは複数の共有チャネルの少なくとも一部分上で送信するための手段を含み、ここにおいて、前記１つまたは複数の共有チャネルが少なくとも１つの無認可チャネルを含む、Ｃ１１に記載の装置。
［Ｃ１３］
前記第２ティア送信機によって、前記１つまたは複数の共有チャネルに関連するすべてのクリアチャネルアセスメント（ＣＣＡ）プロシージャを無視するための手段
をさらに含む、Ｃ１１に記載の装置。
［Ｃ１４］
第１ティアユーザによって使用されないとき、前記第２ティア送信機が、前記利用可能な共有スペクトルリソースにアクセスすることを認可される、Ｃ１１に記載の装置。
［Ｃ１５］
前記指示が、第１スペクトルティアから前記第２ティア送信機において受信される、Ｃ１１に記載の装置。
［Ｃ１６］
第３ティア送信機において、利用可能な共有スペクトルリソースの指示を受信するための手段と、ここにおいて、前記利用可能な共有スペクトルリソースが１つまたは複数の共有チャネルを含む、
前記第３ティア送信機によって、前記利用可能な共有スペクトルリソースの複数のチャネルを少なくとも１つの第２ティア送信機の存在について監視するための手段と、
前記第３ティア送信機によって、前記１つまたは複数の共有チャネル上でクリアチャネルアセスメント（ＣＣＡ）を実施するための手段と、
前記第３ティア送信機によって、前記ＣＣＡをクリアとして検出したことに応答して前記１つまたは複数の共有チャネル上でデータを送信するための手段と
を備える、ワイヤレス通信のために構成された装置。
［Ｃ１７］
前記第３ティア送信機において、前記少なくとも１つの第２ティア送信機を検出したことに応答して、前記少なくとも１つの第２ティア送信機とタイミングを同期させることをさらに含む、Ｃ１６に記載の装置。
［Ｃ１８］
前記複数のチャネルのすべてよりも少ないチャネル上での前記少なくとも１つの第２ティア送信機の検出に応答して実行可能な、前記少なくとも１つの第２ティア送信機の存在がその上で検出されない前記複数のチャネルのうちのチャネルを選択するための手段をさらに含み、ここにおいて、ＣＣＡを実施するための前記手段、およびデータを送信するための前記手段が、前記選択されたチャネル上で行われる、
Ｃ１６に記載の装置。
［Ｃ１９］
監視するための前記手段が、前記第３ティア送信機によって周期的に実施される、Ｃ１６に記載の装置。
［Ｃ２０］
前記指示が、第１スペクトルティアから前記第３ティア送信機において受信される、Ｃ１６に記載の装置。
【図１】
0006567564.tif 000002
【図２】
0006567564.tif 000003
【図３】
0006567564.tif 000004
【図４】
0006567564.tif 000005
【図５】
0006567564.tif 000006
【図６】
0006567564.tif 000007
【図７】
0006567564.tif 000008
【図８】
0006567564.tif 000009
【図９】
0006567564.tif 000010
【図１０】
0006567564.tif 000011
【図１１】
0006567564.tif 000012